(57)【要約】【課題】主に、水切の側から通気隙間の内部へ浸入した水の吹き上がりを抑え得るようにする。【解決手段】下端側に水切５が取付けられた壁面材６と、壁面材６の外面側に設置された外壁材７との間に、通気隙間８を形成可能な胴縁９を設けた外壁部の通気構造に関する。  胴縁９の上側に、水切５の側から通気隙間８へ浸入した水を堰き止め可能な横胴縁３１，３２を設けるようにする。  横胴縁３１，３２が、上下方向２５に複数段設けられると共に、複数段の横胴縁３１，３２は、互いに長手方向３５の異なる位置に通気部３６，３７を有するようにしても良い。  複数段の横胴縁３１，３２は、各段間に通気に必要な高さの通気スペース４１を有するようにしても良い。  横胴縁３１，３２は、胴縁９よりも狭幅のものとされると共に、横胴縁３１，３２は、胴縁９よりも簡易に固定されても良い。【選択図】図２
2019065628.tif 000002
【特許請求の範囲】
【請求項１】
下端側に水切が取付けられた壁面材と、該壁面材の外面側に設置された外壁材との間に、通気隙間を形成可能な胴縁を設けた外壁部の通気構造において、
前記胴縁の上側に、前記水切の側から前記通気隙間へ浸入した水を堰き止め可能な横胴縁を設けたことを特徴とする外壁部の通気構造。
【請求項２】
請求項１に記載の外壁部の通気構造において、
前記横胴縁が、上下方向に複数段設けられると共に、
前記複数段の横胴縁は、互いに長手方向の異なる位置に通気部を有することを特徴とする外壁部の通気構造。
【請求項３】
請求項２に記載の外壁部の通気構造において、
前記複数段の横胴縁は、各段間に、通気に必要な高さの通気スペースを有することを特徴とする外壁部の通気構造。
【請求項４】
請求項１ないし請求項３のいずれか１項に記載の外壁部の通気構造において、
前記横胴縁は、前記胴縁よりも狭幅のものとされると共に、
前記横胴縁は、前記胴縁よりも簡易に固定されていることを特徴とする外壁部の通気構造。
【発明の詳細な説明】
【技術分野】
【０００１】
この発明は、外壁部の通気構造に関するものである。
【背景技術】
【０００２】
戸建住宅などの建物には、外壁部に通気構造を備えたものが存在している。この外壁部の通気構造は、例えば、下端側に水切が取付けられた壁面材と、この壁面材の外面側に設置された外壁材との間に、通気隙間を形成可能な胴縁を設けたものなどとされている（例えば、特許文献１参照）。
【先行技術文献】
【特許文献】
【０００３】
【特許文献１】特開２０１７−２５６７０号公報
【発明の概要】
【発明が解決しようとする課題】
【０００４】
しかしながら、上記特許文献１に記載された外壁部の通気構造では、水切の側（下側）から通気隙間の内部へ水が浸入して、通気隙間の内部で水の吹き上がりが生じるなどの問題があった。
【０００５】
そこで、本発明は、主に、上記した問題点を解決することを目的としている。
【課題を解決するための手段】
【０００６】
上記課題を解決するために、本発明は、下端側に水切が取付けられた壁面材と、該壁面材の外面側に設置された外壁材との間に、通気隙間を形成可能な胴縁を設けた外壁部の通気構造において、前記胴縁の上側に、前記水切の側から前記通気隙間へ浸入した水を堰き止め可能な横胴縁を設けたことを特徴とする。
【発明の効果】
【０００７】
本発明によれば、上記構成によって、水切の側から通気隙間の内部へ浸入した水の吹き上がりを抑えることなどができる。
【図面の簡単な説明】
【０００８】
【図１】本実施の形態にかかる外壁部の通気構造を適用する建物の斜視図である。
【図２】図１の建物のＡ部分の縦断面図である。
【図３】図２の壁面材の下部の平面図である。
【図４】図３の部分拡大図である。
【発明を実施するための形態】
【０００９】
以下、本実施の形態を、図面を用いて詳細に説明する。
図１〜図４は、この実施の形態を説明するためのものである。
【実施例１】
【００１０】
＜構成＞以下、構成について説明する。
【００１１】
図１は戸建住宅などの建物１を示す図である。
【００１２】
この建物１は、建物本体２の上部に屋根３を設置したものとなっている。建物１は、例えば、ユニット建物などとすることができる。ユニット建物は、予め工場で製造した建物ユニット４を建築現場へ運んで、建築現場で組み立てることによって、短期間のうちに建物１を構築し得るようにしたものである。ユニット建物には、木質系のものと、鉄骨系のものとが存在している。この実施例では、木質系のユニット建物としている。但し、建物１は、ユニット建物に限るものではない。
【００１３】
そして、上記した建物１の外壁部に通気構造を設ける。この外壁部の通気構造を、図２に示すように、下端側に水切５が取付けられた壁面材６と、壁面材６の外面側に設置された外壁材７との間に、通気隙間８を形成可能な胴縁９を設けたものとする。
【００１４】
ここで、外壁部の通気構造は、主に、高気密高断熱住宅などの建物１に対して設けられている。建物１は、基礎１１の上に、基礎パッキン１２を介在させるなどして土台１３を設置し、土台１３の上に建物本体２を設置したものとされている。土台１３は、建物本体２（を構成する下階の建物ユニット４）の下部に固定された状態で、基礎１１から上方へ突設されたアンカーボルト１４を用いて基礎１１に連結・固定される。木質系のユニット建物の場合、建物本体２には、床パネルや壁パネル１５ａや天井パネルなどのパネル１５を組み合わせて構成した建物ユニット４が用いられる。
【００１５】
そして、建物ユニット４を構成する各パネル１５は、パネル枠１６に面材を貼設したものなどとされており、壁パネル１５ａの場合、面材が壁面材６となっている。パネル枠１６と壁面材６との間には、必要に応じて、スペーサ１７などを介在させても良い。壁面材６は、土台１３の厚み分だけパネル枠１６の下部よりも下方へ延ばして、土台１３に対し釘などの固定部材１８を用いて外側から固定できるようになっている。壁面材６の下側の部分の外面には、防水シート１９が貼付けられる。防水シート１９は、少なくとも壁面材６の下端部から上にほぼ１ｍ程度までの範囲に設置される。よって、通気隙間８内への水侵入に対する許容範囲は、防水シート１９の設置範囲までとなる。
【００１６】
水切５は、側方から見て段差形状を有する金属製の部材とされている。水切５の上部５ａは、壁面材６の下側の外面（の防水シート１９を貼った部分）に対してビスなどの固定部材２１を用いて外側から固定されている。水切５の中間部５ｂは、外壁材７の下端部よりも若干下方に離れた位置から、外壁材７の外面よりも僅かに外方に位置するようにほぼ横へ延びる段部とされている。この段部と外壁材７の下端部との間が、通気隙間８への空気の出入口２２となる。この出入口２２の高さは、例えば、１０ｍｍ程度以上とされる。
【００１７】
そして、水切５の下部５ｃは、段部の先端から基礎１１の上部に達する位置まで下方に延ばされている。水切５の下端部５ｄは、基礎１１の上部に対して、上下方向２５には重複されていると共に、建物１の内外方向に対しては離間されている。水切５は、一枚の金属板を曲げて形成することができる。
【００１８】
壁面材６には、所要厚みの合板などを使用することができる。胴縁９は、壁面材６と外壁材７との間に通気隙間８を形成するための隙間形成部材（またはスペーサ部材）となるものである。また、胴縁９は、通気隙間８の内部への水侵入を防止する水浸入防止部材となるものである。この実施例では、胴縁９は、主に、壁パネル１５ａの下部に設けられたものを指しているが、胴縁９は、上記に加えて別の位置に設けることもできる。
【００１９】
胴縁９には、例えば、防腐処理を施した幅４０ｍｍ、厚み１５ｍｍの長尺の角材を用いることができる。胴縁９は、壁面材６の外面に対して、その長手方向を水平方向に向け、胴縁９の厚みが通気隙間８の間隔となるように厚み方向を建物１の内外方向へ向け、幅方向を上下方向２５へ向けた状態で、少なくとも水切５のすぐ上側の位置（直上方）に設置される。なお、有効な通気隙間８を確保するためには、胴縁９の厚みは、例えば、８ｍｍ程度以上とすれば良い。
【００２０】
そして、上記のような基本的な構成に対し、この実施例は、以下のような構成を備えている。
【００２１】
（１）胴縁９の上側に、水切５の側から通気隙間８へ浸入した水を堰き止め可能な横胴縁３１，３２を設ける。
【００２２】
ここで、水切５の側とは、「下側」のことである。横胴縁３１，３２は、上記した空気の出入口２２から通気隙間８へ入って胴縁９を越えた水の、通気隙間８での吹き上がりを阻止するための堰き止め部材（水返し部材）となるものである。横胴縁３１，３２には、胴縁９とほぼ平行な（横へ延びる）角材などを使用することができる。横胴縁３１，３２には、防腐処理を施すことができる。
【００２３】
（２）図３に示すように、横胴縁３１，３２は、上下方向２５に複数段設けられるようにしても良い。
また、複数段の横胴縁３１，３２は、互いに長手方向３５の異なる位置に通気部３６，３７を有するようにしても良い。
【００２４】
ここで、横胴縁３１，３２は、単段にしても良いが、機能的には、上下方向２５に二段以上に設けるのが好ましい。この実施例では、横胴縁３１，３２を二段に設けている。
【００２５】
通気部３６，３７は、横胴縁３１，３２に対して空気が上下方向２５に通過できるようにする部分（空気通過部）のことであり、例えば、横胴縁３１，３２の不連続部や、横胴縁３１，３２に設けた上下方向２５に連通する通孔や切欠部などとすることができる。
【００２６】
この実施例では、各壁パネル１５ａにおける、幅方向（横胴縁３１，３２の長手方向３５）の両側部と中間部との位置に対し、合わせて３本の縦部材３８を取付け、隣接する縦部材３８の間に、縦部材３８間の間隔よりも短い長さの横胴縁３１，３２を設置すると共に、上下の横胴縁３１，３２は、その端部がそれぞれ異なる縦部材３８に対して当接するよう（互い違いとなる位置）に取付けることで、位置の異なる通気部３６，３７を形成するようにしている。このように、位置の異なる通気部３６，３７を設けることで、空気は、各段の間を横へ流れることになる。但し、通気部３６，３７の位置や設け方は、上記に限るものではない。
【００２７】
なお、胴縁９も、上記通気部３６，３７と同様の通気部３９を有している。この通気部３９と、上記通気部３６，３７とは、互いに異なる位置に設けられる。この実施例では、各壁パネル１５ａに対し、例えば、胴縁９を幅方向に３分割して、隣接する分割片の間が通気部３９となるようにしている。但し、胴縁９の通気部３９の位置や設け方は、上記に限るものではない。
【００２８】
（３）複数段の横胴縁３１，３２は、各段間に、通気に必要な高さの通気スペース４１を有するようにしても良い。
【００２９】
ここで、通気スペース４１は、上下の横胴縁３１，３２間や、胴縁９と横胴縁３１との間に空気通路（または、通気ダクト）を形成するものである。通気スペース４１の高さは、例えば、通気隙間８の幅寸法よりも大きくする。好ましくは、胴縁９の幅と同じかそれよりも大きくする（例えば、６０ｍｍ程度とする）のが好ましい。
【００３０】
（４）図４に示すように、横胴縁３１，３２は、胴縁９よりも狭幅のものとしても良い（横胴縁３１，３２の幅ｗ１，ｗ２＜胴縁９の幅ｗ３）。
また、横胴縁３１，３２は、胴縁９よりも簡易に固定するようにしても良い（簡易固定部４５）。
【００３１】
ここで、横胴縁３１，３２は、強度を必要としないため、胴縁９との寸法差が大きくなっても良く、最低限の幅寸法を有する角材（狭幅材）などで構成することができる。例えば、幅４０ｍｍの胴縁９に対して、横胴縁３１，３２は、半分程度以下となる、幅２０ｍｍ以下のものなどとすることができる。横胴縁３１，３２どうしは、等幅とするのが好ましいが、胴縁９よりも狭幅であれば異なる幅としても良い。なお、横胴縁３１，３２の厚みについては、胴縁９と同じにする。
【００３２】
また、胴縁９は、太くて長い釘やネジなどの固定部材４６を用いて外側から壁面材６に強固に固定される。これに対し、横胴縁３１，３２は、胴縁９と同じ固定部材４６を用いて壁面材６に固定するようにしても良いが、上記した固定部材４６よりも小径で短いビスなどを簡易固定部４５として、簡易固定部４５を用いて壁面材６に取付けることができる。更に、横胴縁３１，３２は、例えば、建築用のタッカーやステープラーなどの簡易固定用工具を用いて、より簡易に壁面材６に取付けるようにしても良い。この場合には、簡易固定部４５は、タッカーやステープラーなどの針となる。
【００３３】
＜作用効果＞この実施例によれば、以下のような作用効果を得ることができる。
【００３４】
（作用効果１）外壁部の通気構造は、例えば、高気密高断熱住宅などの建物１において、壁面材６と外壁材７との間に通気隙間８を形成して、通気隙間８に空気が通るようにすることで、湿気を逃がして内部結露を防止することなどができるようにするものである。
【００３５】
この際、壁面材６と外壁材７との間に胴縁９を設けることで、壁面材６と外壁材７との間に通気隙間８を確保することができると共に、胴縁９によって、水切５の側（下側）から通気隙間８内への水浸入（水の吹き上がりなど）を防止するようにしている。
【００３６】
しかし、胴縁９だけでは、水切５の側（下側）から通気隙間８内への水浸入を完全に防止することが難しい。
【００３７】
そこで、胴縁９の上側に横胴縁３１，３２を設けるようにした。これにより、水切５の側（下側）から通気隙間８内へ浸入して胴縁９を通過した水を横胴縁３１，３２で堰き止めて、通気隙間８の内部での水の吹き上がりを抑えることができるようになる。
【００３８】
（作用効果２）横胴縁３１，３２を上下方向２５に複数段設けるようにしても良い。これにより、通気隙間８の内部で胴縁９を越えて上へ吹き上ろうとする水を複数段の横胴縁３１，３２によって多重に食い止めることができる。
【００３９】
また、複数段の横胴縁３１，３２は、互いに長手方向３５の異なる位置に通気部３６，３７を設けるようにしても良い。これにより、通気隙間８の内部で胴縁９を越えた水の経路が横へ長くなるようにし、水を横へ大きく迂回させて、上に向かい難くすることができる。よって、通気隙間８の内部で胴縁９を越えた水の到達高さをより低く抑えることができる。
【００４０】
（作用効果３）複数段の横胴縁３１，３２は、各段間の通気に必要な高さの通気スペース４１を有するようにしても良い。これにより、水切５の側から通気隙間８へ浸入した水の到達高さを低く抑えつつ、有効な大きさの通気スペース４１を確保して通気隙間８の内部における通気を促進することができる。
【００４１】
（作用効果４）横胴縁３１，３２は、胴縁９よりも狭幅のものとしても良い。また、横胴縁３１，３２は、胴縁９よりも簡易に固定するようにしても良い。このように、安価な横胴縁３１，３２を簡易に固定することで、横胴縁３１，３２の設置に要する手間やコストを削減することができる。
【００４２】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４３】
５      水切
６      壁面材
７      外壁材
８      通気隙間
９      胴縁
３１    横胴縁
３２    横胴縁
３５    長手方向
３６    通気部
３７    通気部
４１    通気スペース
【図１】
2019065628.tif 000003
【図２】
2019065628.tif 000004
【図３】
2019065628.tif 000005
【図４】
2019065628.tif 000006